(57)【要約】  本開示の送信装置は、動作中に、ＷＵＲ（ウェイクアップ無線）フレームを含むデータフィールドを含む送信信号を生成する信号生成器であって、ＷＵＲフレームのアドレスフィールドは、ＷＵＲフレームがユニキャストＷＵＲウェイクアップフレームである場合には第１の識別子、ＷＵＲフレームがマルチキャストＷＵＲウェイクアップフレームである場合には第２の識別子、ＷＵＲフレームがブロードキャストＷＵＲウェイクアップフレームである場合には第３の識別子を含み、第１の識別子、第２の識別子、および第３の識別子の値の範囲は、相互に排他的である、信号生成器と、動作中に、生成された送信信号を送信する送信機と、を備える。【選択図】図２
2021507554.tif 000002
【特許請求の範囲】
【請求項１】
送信装置であって、
動作中に、ＷＵＲ（ウェイクアップ無線）フレームを含むデータフィールドを含む送信信号を生成する信号生成器であって、前記ＷＵＲフレームのアドレスフィールドは、前記ＷＵＲフレームがユニキャストＷＵＲウェイクアップフレームである場合には第１の識別子、前記ＷＵＲフレームがマルチキャストＷＵＲウェイクアップフレームである場合には第２の識別子、前記ＷＵＲフレームがブロードキャストＷＵＲウェイクアップフレームである場合には第３の識別子を含み、前記第１の識別子、前記第２の識別子および前記第３の識別子の値の範囲は、相互に排他的である、信号生成器と、
動作中に、前記生成された送信信号を送信する送信機と、を備える、
送信装置。
【請求項２】
前記第１の識別子は、前記送信装置が属するＢＳＳ（基本サービスセット）内の局を一意に識別し、前記局は、前記送信装置に関連付けられている、
請求項１に記載の送信装置。
【請求項３】
前記第２の識別子は、前記送信装置が属するＢＳＳ内の局のグループを一意に識別し、前記局のグループ内の各局は、前記送信装置に関連付けられている、
請求項１に記載の送信装置。
【請求項４】
前記第３の識別子は、前記送信装置の識別子である、
請求項１に記載の送信装置。
【請求項５】
前記第２の識別子の前記値の範囲は、前記第２の識別子のスペースから取得される連続した値のサブセットである、
請求項１に記載の送信装置。
【請求項６】
前記第２の識別子の一部は、ＷＵＲネゴシエーション手順中に、前記送信装置に関連付けられている局に示される、
請求項１に記載の送信装置。
【請求項７】
前記第２の識別子の前記一部は、前記第２の識別子の複数のＬＳＢ（右端ビット）を含む、
請求項６に記載の送信装置。
【請求項８】
前記第２の識別子の前記値の範囲は、変更可能である、
請求項１に記載の送信装置。
【請求項９】
前記第２の識別子の前記値の範囲は、前記送信装置に関連付けられる局に示される、
請求項８に記載の送信装置。
【発明の詳細な説明】
【技術分野】
【０００１】
本開示は、概して、通信装置および通信方法に関する。
【背景技術】
【０００２】
ＩＥＥＥ（電気電子技術者協会）８０２．１１ワーキンググループは、ＷＵＲ（ウェイクアップ無線）装置の動作を可能にする、ＰＨＹ（物理）レイヤ仕様とＭＡＣ（媒体アクセス制御）レイヤ仕様の改変を定義しようとしている。ＷＵＲ装置は、ＰＣＲ（プライマリ接続無線）装置、例えばＩＥＥＥ８０２．１１ａ／ｇ／ｎ／ａ／ａｘ無線装置のコンパニオン無線装置である。ＷＵＲ装置は、ＷＵＲフレームを受信することが可能であるＷＵＲｘ（ウェイクアップ受信機）を含む。ワイヤレス通信デバイスに含まれるＰＣＲ装置は、デバイスが関連付けられているアクセスポイント（ＡＰ）とのユーザデータ通信に使用され、一方、デバイスに含まれるＷＵＲ装置は、ユーザデータ通信には使用されない。ＷＵＲモードで動作するワイヤレス通信デバイスの場合、デバイスのＰＣＲ装置がドーズ状態にあるとき、デバイスのＷＵＲｘはデバイスとＡＰの間でネゴシエートされたデューティサイクルスケジュールに従う。デバイスのＷＵＲｘがＷＵＲウェイクアップフレームを受信すると、デバイスのＰＣＲ装置はアウェイク状態に遷移する。
【先行技術文献】
【非特許文献】
【０００３】
【非特許文献１】ＩＥＥＥ  ８０２．１１−１７／０５７５ｒ７，  Ｓｐｅｃｉｆｉｃａｔｉｏｎ  Ｆｒａｍｅｗｏｒｋ  ｆｏｒ  ＴＧｂａ，  Ｎｏｖｅｍｂｅｒ  ２０１７
【非特許文献２】ＩＥＥＥ  ８０２．１１−１７／０９７７ｒ４，  Ａｄｄｒｅｓｓ  ｓｔｒｕｃｔｕｒｅ  ｉｎ  ｕｎｉｃａｓｔ  ｗａｋｅ−ｕｐ  ｆｒａｍｅ，  Ｊｕｌｙ  ２０１７
【非特許文献３】ＩＥＥＥ  ８０２．１１−１７／１６４５ｒ３，  ＷＵＲ  ｆｒａｍｅ  ｆｏｒｍａｔ−ｆｏｌｌｏｗ  ｕｐ，  Ｎｏｖｅｍｂｅｒ  ２０１７
【発明の概要】
【発明が解決しようとする課題】
【０００４】
ワイヤレス通信デバイスがＷＵＲモード動作を効率的に実行する方法についての研究が進行中である。
【課題を解決するための手段】
【０００５】
本開示の非限定的かつ例示的な実施形態は、効率的な方法でＷＵＲモード動作を実行することを容易にする。
【０００６】
１つの一般的な態様では、本明細書において開示する技術、すなわち、送信装置は、動作中に、ＷＵＲフレームを含むデータフィールドを含む送信信号を生成する信号生成器であって、ＷＵＲフレームのアドレスフィールドは、ＷＵＲフレームがユニキャストＷＵＲウェイクアップフレームである場合には第１の識別子、ＷＵＲフレームがマルチキャストＷＵＲウェイクアップフレームである場合には第２の識別子、ＷＵＲフレームがブロードキャストＷＵＲウェイクアップフレームである場合には第３の識別子を含み、第１の識別子、第２の識別子、および第３の識別子の値の範囲は、相互に排他的である、信号生成器と、動作中に、生成された送信信号を送信する送信機と、を備える。
【０００７】
一般的または特定の実施形態は、システム、方法、集積回路、コンピュータプログラム、記憶媒体、またはそれらの任意の選択的な組み合わせとして実装され得ることに留意されたい。
【発明の効果】
【０００８】
本開示に記載される通信装置および通信方法を活用することにより、ワイヤレス通信デバイスは、効率的な方法でＷＵＲモード動作を実行することができる。
【０００９】
開示された実施形態のさらなる利益および利点は、明細書および図面から明らかになるであろう。利益および／または利点は、明細書および図面の様々な実施形態および特徴によって個別に得ることができ、これらの利益および／または利点の１つ以上を得るためにすべてを提供する必要はない。
【図面の簡単な説明】
【００１０】
【図１】例示的なワイヤレスネットワークを示す図である。
【図２】本開示によるＭＡＣ手順に関連するＷＵＲモード動作の例を示す図である。
【図３Ａ】本開示によるＷＵＲ機能エレメントの例示的なフォーマットを示す図である。
【図３Ｂ】本開示によるＷＵＲ動作エレメントの例示的なフォーマットを示す図である。
【図４】本開示による例示的なＷＵＲネゴシエーション手順を示す図である。
【図５】本開示によるＷＵＲアクションフレームの例示的なフォーマットを示す図である。
【図６】本開示によるＷＵＲモードエレメントの例示的なフォーマットを示す図である。
【図７】本開示によるＷＵＲモードエレメントのアクションタイプフィールドの例示的な定義を示す図である。
【図８Ａ】本開示による、ＷＵＲ  ＳＴＡによって送信されるＷＵＲモードエレメントのＷＵＲパラメータフィールドの例示的なフォーマットを示す図である。
【図８Ｂ】本開示による、ＡＰによって送信されるＷＵＲモードエレメントのＷＵＲパラメータフィールドの第１の例示的なフォーマットを示す図である。
【図８Ｃ】本開示による、ＡＰによって送信されるＷＵＲモードエレメントのＷＵＲパラメータフィールドの第２の例示的なフォーマットを示す図である。
【図８Ｄ】本開示による、ＡＰによって送信されるＷＵＲモードエレメントのＷＵＲパラメータフィールドの第３の例示的なフォーマットを示す図である。
【図９】本開示による例示的なＷＵＲモードエントリ手順を示す図である。
【図１０】本開示による例示的なＷＵＲ終了手順を示す図である。
【図１１】本開示によるＷＵＲフレームの例示的なフォーマットを示す図である。
【図１２】本開示によるＷＵＲフレームのタイプフィールドの例示的な定義を示す図である。
【図１３】ＷＵＲフレームのアドレスフィールドの例示的な定義を示す図である。
【図１４】本開示の第１の実施形態による、ＷＵＲフレームのアドレスフィールドの例示的な定義を示す図である。
【図１５Ａ】本開示の第１の実施形態による、ＷＵＲフレームのアドレスフィールドの例示的なアドレススペースを示す図である。
【図１５Ｂ】本開示の第１の実施形態による第１の例示的なフレームフィルタリング手順を示す図である。
【図１５Ｃ】本開示の第１の実施形態による第２の例示的なフレームフィルタリング手順を示す図である。
【図１６】本開示の第２の実施形態による、ＷＵＲフレームのアドレスフィールドの例示的な定義を示す図である。
【図１７Ａ】本開示の第２の実施形態による、ＷＵＲフレームのアドレスフィールドの例示的なアドレススペースを示す図である。
【図１７Ｂ】本開示の第２の実施形態による例示的なフレームフィルタリング手順を示す図である。
【図１８Ａ】本開示の第３の実施形態による、ＷＵＲフレームのアドレスフィールドの例示的なアドレススペースを示す図である。
【図１８Ｂ】本開示の第３の実施形態による例示的なフレームフィルタリング手順を示す図である。
【図１９】本開示によるＷＵＲビーコンフレームの例示的なフォーマットを示す図である。
【図２０】本開示による非ＦＤＭＡ（周波数分割多元接続）ＷＵＲ  ＰＰＤＵ（物理レイヤプロトコルデータユニット）の例示的なフォーマットを示す図である。
【図２１】本開示によるＦＤＭＡ  ＷＵＲ  ＰＰＤＵの例示的なフォーマットを示す図である。
【図２２Ａ】本開示による例示的なＷＵＲの単純なブロック図である。
【図２２Ｂ】本開示による例示的なＷＵＲの詳細なブロック図である。
【図２３Ａ】本開示による例示的なＰＣＲの単純なブロック図である。
【図２３Ｂ】本開示による例示的なＰＣＲの詳細なブロック図である。
【発明を実施するための形態】
【００１１】
本開示は、以下の図および実施形態の助けを借りてよりよく理解することができる。本明細書で記載される実施形態は、本質的に単なる例示であり、本開示の可能な用途および使用のいくつかを記載するために使用され、本明細書で明示的に記載されない代替的な実施形態に関して、本開示を限定するものとして解釈されるべきではない。
【００１２】
どのようなワイヤレス通信システムにおいても、多種多様なデバイスがワイヤレスネットワークの一部となることがあり、各デバイスはトラフィックのニーズ、デバイスの能力、電源タイプなどに関しては異なる。（携帯電話など）いくつかのクラスのデバイスは、帯域幅要件が低めで、ＱｏＳ（サービス品質）要件も厳しくない場合があるが、電力消費が比較的懸念される場合がある。（リモートセンシング用のセンサなど）別のクラスのデバイスは、低帯域幅要件を有し、デューティサイクルが非常に低い場合があるが、非常に小さいバッテリーまたは非常に長い寿命のために電力消費に非常に敏感であり得る。
【００１３】
多くのワイヤレス通信システムには、ワイヤレスネットワークのカバレッジエリア、ワイヤレス周波数チャネル、デバイスアドミッションポリシー、他の隣接ワイヤレスネットワークとの調整などを決定する１つ以上の中央コントローラがあり、通常はバックエンドインフラストラクチャネットワークへのゲートウェイとしても機能する。中央コントローラの例としては、セルラワイヤレスネットワークの基地局もしくはｅＮＢ、またはＷＬＡＮ（ワイヤレスローカルエリアネットワーク）のＡＰがある。
【００１４】
本開示で記載される技術は多くのワイヤレス通信システムに適用され得るが、例として、本開示の残りの説明は、ＩＥＥＥ８０２．１１ベースのＷＬＡＮシステムおよびその関連用語に関して説明される。これは、代替的なワイヤレス通信システムに関して本開示を限定するものと解釈されるべきではない。ＩＥＥＥ８０２．１１ベースのＷＬＡＮでは、ネットワークの大部分はインフラストラクチャモードで動作する、つまり、ネットワーク内のすべて、またはほとんどのトラフィックは、ＡＰを通過する必要がある。そのため、ＷＬＡＮへの参加を希望するＳＴＡ（局）は、最初にアソシエーションおよび認証と呼ばれるプロセスを通じてＡＰとネットワークメンバーシップをネゴシエートする必要がある。
【００１５】
図１は、ＡＰ１１０と、ＡＰ１１０に関連付けられた複数のＳＴＡと、を含む、例示的なワイヤレスネットワーク１００を示している。複数のＳＴＡは、ＡＰ１１０のＢＳＳ（基本サービスセット）を形成する。ＡＰ１１０は、ＰＣＲ装置（以下、単に「ＰＣＲ」と言い表す）１１２を含む。ＳＴＡ１３０は、帯域幅要件がより少なめで、ＱｏＳ要件もより厳しくない可能性があるが、電力消費が比較的より懸念される可能性があるデバイスクラスを表す。ＳＴＡ１４０は、低帯域幅要件を有し得るが、電力消費に非常に敏感であり得るデバイスの別のクラスを表す。エネルギー効率を最大化するために、ＳＴＡ１３０にはＰＣＲ１３２に加えてＷＵＲ装置１３４（以下、単に「ＷＵＲ」と言い表す）が装備され、ＳＴＡ１４０にはＰＣＲ１４２に加えてＷＵＲ１４４が装備されている。ＳＴＡ１３０とＳＴＡ１４０の両方は、以降、ＷＵＲ  ＳＴＡと名付ける。
【００１６】
本開示によれば、ＷＵＲ  ＳＴＡのＰＣＲは、２つの電力管理モード、すなわち、アクティブモードおよびＰＳ（省電力）モードのいずれかで動作することができる。ＰＳモードで動作しているＷＵＲ  ＳＴＡのＰＣＲの場合、それが、ＤＬ（ダウンリンク）トラフィックを受信することができるか、またはＵＬ（アップリンク）トラフィックを送信することができるとき、それはアウェイク状態にあり、また、それが、ＤＬトラフィックを受信することができず、かつＵＬトラフィックを送信することができないとき、それはドーズ状態である。アクティブモードで動作しているＷＵＲ  ＳＴＡのＰＣＲの場合、それは、常にアウェイク状態である。
【００１７】
本開示によれば、ＷＵＲ  ＳＴＡのＷＵＲ装置は、ＷＵＲフレームを受信することが可能なＷＵＲｘを備える。ＷＵＲ  ＳＴＡのＷＵＲｘは、２つの状態：  ＷＵＲｘアウェイクまたはＷＵＲｘドーズのいずれかになる。ＷＵＲ  ＳＴＡのＷＵＲｘは、それが、ＷＵＲフレームを受信できるとき、ＷＵＲｘアウェイク状態である。ＷＵＲ  ＳＴＡのＷＵＲｘは、それが、ＷＵＲフレームを受信できないとき、ＷＵＲｘドーズ状態である。
【００１８】
本開示によれば、ＷＵＲ  ＳＴＡは、ＷＵＲモードサスペンドまたはＷＵＲモードで動作することができる。ＷＵＲ  ＳＴＡがＷＵＲモードで動作するとき、ＷＵＲ  ＳＴＡのＰＣＲがドーズ状態にある場合、ＡＰ１１０とＷＵＲ  ＳＴＡの間でネゴシエートされたＷＵＲデューティサイクル動作のオン時間中、そのＷＵＲｘはＷＵＲｘアウェイク状態になり、ＷＵＲ  ＳＴＡがそのＰＣＲを使用してＡＰ１１０とのフレーム交換（これはＷＵＲ  ＳＴＡのＰＣＲがアウェイク状態であることをＡＰ１１０に知らせる）を正常に完了した後、ＷＵＲｘはＷＵＲｘドーズ状態になる場合がある。ＷＵＲ  ＳＴＡがＷＵＲモードサスペンドで動作している場合、そのＷＵＲｘはＷＵＲｘドーズ状態になる場合があり、ＡＰ１１０とＷＵＲ  ＳＴＡとの間でネゴシエートされるＷＵＲパラメータは、ＷＵＲ  ＳＴＡとＡＰ１１０によって維持される。
【００１９】
図２は、本開示による、ＷＵＲ  ＳＴＡおよびＡＰ１１０によって動作されるＭＡＣ手順に関連するＷＵＲモード動作の例を示している。ＷＵＲ  ＳＴＡがＡＰ１１０に関連付けられる前に、そのＰＣＲはアクティブモードにある。ＳＴＡは、同期手順２１０を開始して、パッシブまたはアクティブスキャンを介してＡＰ１１０との同期を取得する。同期手順２１０中に、アクティブスキャンが実行される場合、ＳＴＡはそのＰＣＲを介してプローブ要求フレームをＡＰ１１０に送信する。プローブ要求フレームは、ＳＴＡのＷＵＲを告知するＷＵＲ機能エレメント（図３Ａを参照）を含む。ＡＰ１１０は、プローブ応答フレームで応答する。プローブ応答フレームは、ＡＰ１１０のＷＵＲ能力を告知するＷＵＲ機能エレメントと、ＷＵＲ動作パラメータを通知するＷＵＲ動作エレメント（図３Ｂを参照）と、を含む。パッシブスキャンが実行される場合、ＳＴＡはＰＣＲを介してＡＰ１１０からビーコンフレームを受信する。ビーコンフレームは、ＡＰ１１０のＷＵＲ機能を告知するＷＵＲ機能エレメントと、ＷＵＲ動作パラメータを通知するＷＵＲ動作エレメントと、を含む。プローブ要求フレーム、プローブ応答フレーム、およびビーコンフレームのフォーマットは、ＩＥＥＥ  Ｓｔｄ８０２．１１−２０１６で定義されている。
【００２０】
図３Ａは、本開示によるＷＵＲ機能エレメント３００の例示的なフォーマットを示している。ＷＵＲ機能エレメント３００は、エレメント３００を送信するＷＵＲ  ＳＴＡまたはＡＰ１１０のＷＵＲ機能を示し、サポートバンドフィールド３０２、ＰＣＲ遷移遅延フィールド３０４、非ゼロ長フレームボディサポートフィールド３０６およびＦＤＭＡサポートフィールド３１０を含む。サポートバンドフィールド３０２は、ＷＵＲ動作チャネルに対してサポートされる帯域を示す。ＰＣＲ遷移遅延フィールド３０４は、ＷＵＲウェイクアップフレームを受信した後にエレメント３００を送信するＷＵＲ  ＳＴＡのドーズ状態からアウェイク状態へのＰＣＲ遷移遅延を示す。非ゼロ長フレームボディサポートフィールド３０６は、ＷＵＲフレームの非ゼロ長フレームボディのサポート可否を示す（図１１を参照）。サポートバンドフィールド３０２、ＰＣＲ遷移遅延フィールド３０４、および非ゼロ長フレームボディサポートフィールド３０６は、エレメント３００がＡＰ１１０によって送信されるときは予備となる。ＦＤＭＡサポートフィールド３１０は、エレメント３００がＡＰ１１０によって送信される場合に、２つ以上のＷＵＲフレームが周波数領域で多重化されるＦＤＭＡ  ＷＵＲ  ＰＰＤＵ（図１９を参照）の送信のサポート可否を示し、またはエレメント３００がＷＵＲ  ＳＴＡによって送信される場合に、ＦＤＭＡ  ＷＵＲ  ＰＰＤＵを受信するサポート可否を示す。
【００２１】
図３Ｂは、本開示によるＷＵＲ動作エレメント３５０の例示的なフォーマットを示している。ＷＵＲ動作エレメント３５０には、ＡＰによって制御され、ＡＰのＢＳＳ内のすべてのＷＵＲ  ＳＴＡに共通のＷＵＲパラメータを含む。ＷＵＲ動作エレメント３５０は、デューティサイクル周期ユニットフィールド３５２、最小オン時間フィールド３５４、ＷＵＲオペレーティングクラスフィールド３５６、ＷＵＲチャネルフィールド３５８、ＷＵＲビーコン周期フィールド３６０、送信ＩＤフィールド３６２、およびグループＩＤ範囲指示フィールド３６４を含む。デューティサイクル周期ユニットフィールド３５２は、ＷＵＲデューティサイクル動作の周期の基本ユニットを示し、これは、実装を容易にするためにＩＥＥＥ８０２．１１−２０１６で定義されている時間ユニット（１，０２４ｕｓ）の倍数である。最小オン時間フィールド３５４は、ＷＵＲデューティサイクル動作のオン時間の最小値を示し、これは、実装を容易にするためにＩＥＥＥ８０２．１１−２０１６で定義されている時間ユニット（１，０２４ｕｓ）の倍数である。ＷＵＲオペレーティングクラスフィールド３５６は、ＡＰ１１０から意図されたＳＴＡへのＷＵＲフレームの送信に使用中のオペレーティングクラスを示す。ＷＵＲチャネルフィールド３５８は、ＡＰ１１０から意図されたＳＴＡへのＷＵＲフレームの送信に使用中のチャネルを示す。ＷＵＲビーコン周期フィールド３６０は、ＷＵＲビーコンフレームの周期を示す。送信ＩＤフィールド３６２は、ＷＵＲ動作エレメント３５０を送信するＡＰの送信ＩＤを示す。ＡＰは、送信ＩＤ値をランダムに、または所定の規則に従って割り当てることができる。例えば、ＡＰは、ＡＰのＭＡＣアドレスまたはＢＳＳＩＤ（基本サービスセット識別子）から所定のビット数を抽出することにより、送信ＩＤ値を決定し得る。送信ＩＤフィールド３６２は、関連付けられたＷＵＲ  ＳＴＡ（複数可）によって知られている他のパラメータ（例えば、ＡＰのＭＡＣアドレスまたはＢＳＳＩＤ）からＡＰの送信ＩＤ値を一意に導出できるとき、省略される。グループＩＤ範囲指示フィールド３６４は、グループＩＤの値の範囲を示す。
【００２２】
ＷＵＲ  ＳＴＡは、同期手順２１０を介してＡＰ１１０と同期された後、ＡＰ１１０とのアソシエーション手順２２０を開始することができる。アソシエーション手順２２０の間、ＳＴＡは、アソシエーション要求フレームまたは再アソシエーション要求フレームをＡＰ１１０に送信し、これは、ＳＴＡのＷＵＲ機能を告知するためのＷＵＲ機能エレメントを含む。ＡＰ１１０は、ＡＰ１１０のＷＵＲ機能を告知するためのＷＵＲ機能エレメントと、ＷＵＲ動作パラメータをアナウンスするためのＷＵＲ動作エレメントと、を含む、アソシエーション応答フレームまたは再アソシエーション応答フレームで応答する。アソシエーション要求フレーム、アソシエーション応答フレーム、再アソシエーション要求フレーム、再アソシエーション応答フレームのフォーマットは、ＩＥＥＥ８０２．１１−２０１６で定義されている。
【００２３】
ＳＴＡは、それが、ＡＰ１１０とのアソシエーション手順２２０を介してＡＰ１１０と関連付けられた後に、そのＰＣＲの電力管理モードをＰＳモードに変更するための電力管理モード変更手順２２５を開始することができる。電力管理モード変更手順２２５中に、ＳＴＡは、電力管理サブフィールドを１に設定したＱｏＳヌルフレームを、そのＰＣＲを介してＡＰ１１０に送信することができ、ＡＰ１１０はＡｃｋフレームで応答する。Ａｃｋフレームを受信した後、ＳＴＡのＰＣＲはＰＳモードで動作するように遷移する。その後、ＳＴＡは、ＡＰ１１０とＷＵＲネゴシエーション手順２３０を開始して、ＷＵＲパラメータをネゴシエートすることができる。ＱｏＳヌルフレームとＡｃｋフレームのフォーマットは、ＩＥＥＥ８０２．１１−２０１６で定義されている。
【００２４】
図４は、本開示による例示的なＷＵＲネゴシエーション手順を示している。ＷＵＲ  ＳＴＡは、そのＰＣＲを介してＡＰ１１０にＷＵＲモードセットアップフレーム４１０を送信する。ＷＵＲモードセットアップフレームは、「ＷＵＲモードセットアップ」に設定されたＷＵＲアクションフィールドを有するＷＵＲアクションフレーム（図５を参照）である。ＷＵＲモードセットアップフレーム４１０は、ＷＵＲモードエレメント（図６を参照）を含み、その中で、アクションタイプフィールドは「ＷＵＲモードサスペンド移行要求」（図７を参照）に設定され、ＷＵＲパラメータフィールド（図８Ａを参照）は、ＳＴＡにとって好ましいＷＵＲパラメータを含む。ＡＰ１１０は、ＷＵＲモードセットアップフレーム４１０の受信に成功すると、Ａｃｋフレームで応答する。その後、ＡＰ１１０は、ＷＵＲモードセットアップフレーム４２０をＳＴＡに送信する。ＷＵＲモードセットアップフレーム４２０は、アクションタイプフィールドが「ＷＵＲモードサスペンド移行応答」に設定され、ＷＵＲモード応答状態フィールドが「受諾」または「拒否」に設定されるＷＵＲモードエレメントを含む。ＷＵＲモードセットアップフレーム４２０のＷＵＲモードエレメントのＷＵＲモード応答状態フィールドが「受諾」に設定されている場合、同じＷＵＲモードエレメントのＷＵＲパラメータフィールド（図８Ｂ、８Ｃまたは８Ｄを参照）は、ＡＰ１１０によって決定されたＷＵＲパラメータを含む。ＷＵＲモード応答状態フィールドが「拒否」に設定されている場合、ＷＵＲパラメータフィールドは存在しない。ＳＴＡは、ＷＵＲモードセットアップフレーム４２０の受信に成功すると、ＰＣＲを介してＡｃｋフレームで応答する。
【００２５】
ＷＵＲネゴシエーション手順２３０が正常に完了した場合（すなわち、ＷＵＲモードセットアップフレーム４２０内のＷＵＲモードエレメントのＷＵＲモード応答状態フィールドが「受諾」に設定されている場合）、ＷＵＲ  ＳＴＡはＷＵＲモードサスペンドに入る。次に、ＷＵＲ  ＳＴＡは、より良い省電力のために、ＡＰ１１０とのＷＵＲモードエントリ手順２４０を開始して、ＷＵＲモードサスペンドからＷＵＲモードに切り替えることができる。図９は、本開示による例示的なＷＵＲモードエントリ手順２４０を示している。ＷＵＲ  ＳＴＡは、そのＰＣＲを介してＡＰ１１０にＷＵＲモードセットアップフレームを送信する。ＷＵＲモードセットアップフレームは、アクションタイプフィールドが「ＷＵＲモード移行」に設定され、ＷＵＲパラメータフィールドが存在しない、ＷＵＲモードエレメントを含む。ＡＰ１１０は、ＷＵＲモードセットアップフレームの受信に成功すると、Ａｃｋフレームで応答する。Ａｃｋフレームを受信した後、ＳＴＡは、ＷＵＲネゴシエーション手順２３０中にＡＰ１１０とＳＴＡとの間でネゴシエートされたＷＵＲパラメータによってＷＵＲモードで動作する。より詳細には、ＷＵＲモードで動作するＳＴＡのＷＵＲｘは、ＳＴＡのＰＣＲがドーズ状態にある場合、ＡＰ１１０とＳＴＡとの間でネゴシエートされたデューティサイクルスケジュールに従う。
【００２６】
代替的に、別個のＷＵＲネゴシエーション手順２３０およびＷＵＲモードエントリ手順２４０の代わりに、ＳＴＡは、ＷＵＲモードに入ることを要求するために、ＡＰ１１０との統合されたＷＵＲネゴシエーションおよびＷＵＲモードエントリ手順を開始し得る。統合されたＷＵＲネゴシエーションとＷＵＲモードエントリ手順中に、ＳＴＡはそのＰＣＲを介してＡＰ１１０にＷＵＲモードセットアップフレームを送信する。ＷＵＲモードセットアップフレームは、アクションタイプフィールドが「ＷＵＲモード移行要求」に設定されているＷＵＲモードエレメントを含み、ＷＵＲパラメータフィールドは、ＳＴＡにとって好ましいＷＵＲパラメータを含む。ＡＰ１１０は、ＷＵＲモードセットアップフレームの受信に成功すると、Ａｃｋフレームで応答する。その後、ＡＰ１１０はＷＵＲモードセットアップフレームをＳＴＡに送信する。ＷＵＲモードセットアップフレームは、アクションタイプフィールドが「ＷＵＲモード移行応答」に設定され、ＷＵＲモード応答状態フィールドが「受諾」または「拒否」に設定されるＷＵＲモードエレメントを含む。ＷＵＲモード応答状態フィールドが「受諾」に設定されている場合、ＷＵＲパラメータフィールドは、ＡＰ１１０によって決定されたＷＵＲパラメータを含む。ＷＵＲモード応答状態フィールドが「拒否」に設定されている場合、ＷＵＲパラメータフィールドは存在しない。ＳＴＡは、ＷＵＲモードセットアップフレームの受信に成功すると、ＰＣＲを介してＡｃｋフレームで応答する。
【００２７】
本開示によれば、ＷＵＲモードで動作するＷＵＲ  ＳＴＡのＰＣＲがドーズ状態にある場合、そのＷＵＲｘは、定期的にＷＵＲｘアウェイク状態にあり、ＡＰ１１０との同期を維持するために、ＡＰ１１０によって周期的に送信されるＷＵＲビーコンフレームの受信を試行する。
【００２８】
本開示によれば、ＷＵＲモードで動作するＷＵＲ  ＳＴＡのＰＣＲがドーズ状態にある場合、そのＷＵＲｘがＡＰ１１０からＷＵＲウェイクアップフレームを受信するとき、そのＰＣＲは図２に示したようにアウェイク状態に遷移し、その後、ＡＰ１１０とのＤＬデータ送信および応答確認手順２５０を開始する。ＤＬデータ送信および応答確認手順２５０中に、ＳＴＡは、そのＰＣＲを介してＡＰ１１０にＰＳポールフレームを送信し、バッファリングされたトラフィックを取得して、ＷＵＲウェイクアップフレームの正常な受信を通知することができる。ＡＰ１１０は、バッファリングされたＱｏＳデータフレームまたはＡｃｋフレームでＰＳポールフレームに応答し、その後に送信キューの先頭にあるバッファリングされたＱｏＳデータフレームが別個のＴＸＯＰ（送信機会）で続く。ＳＴＡに対してさらにバッファされたトラフィックがある場合、配信されたＱｏＳデータフレームのモアデータフィールド（Ｍｏｒｅ  Ｄａｔａフィールド）は１に設定される。それ以外の場合、配信されたＱｏＳデータフレームのモアデータフィールドは０に設定される。ＳＴＡは、ＱｏＳデータフレームの正常な受信を通知するために、そのＰＣＲを介して応答確認フレームで応答する。応答確認フレームは、ＡｃｋフレームまたはブロックＡｃｋフレームのいずれかである。ＱｏＳデータフレームとブロックＡｃｋフレームのフォーマットは、ＩＥＥＥ８０２．１１−２０１６で定義されている。
【００２９】
本開示によれば、ＷＵＲ  ＳＴＡは、ＷＵＲモードを解除しようとするとき、ＡＰ１１０とのＷＵＲモード終了手順２６０を開始する。図１０は、本開示による例示的なＷＵＲモード終了手順２６０を示している。ＳＴＡは、ＰＣＲを介してＷＵＲモード終了フレームをＡＰ１１０に送信する。ＷＵＲモード終了フレームはＷＵＲアクションフレーム（図５を参照）であり、ＷＵＲアクションフィールドは「ＷＵＲモード終了」に設定され、ＷＵＲモードエレメントは存在しない。ＡＰ１１０は、ＷＵＲモード終了フレームの受信に成功すると、Ａｃｋフレームで応答する。Ａｃｋフレームを受信した後、ＳＴＡはＷＵＲモードを解除する。
【００３０】
（ＷＵＲアクションフレームの例示的なフォーマット）
図５は、本開示によるＷＵＲアクションフレーム５００の例示的なフォーマットを示している。ＷＵＲアクションフレーム５００は、ＭＡＣヘッダ部分とフレームボディ部分５２０を含む。フレームボディ部分５２０は、ＷＵＲアクションフィールド５２２およびＷＵＲモードエレメント５２４を含む。ＷＵＲアクションフィールド５２２は、ＷＵＲアクションフレーム５００のタイプ、例えば、ＷＵＲモードセットアップまたはＷＵＲモード終了を示す。
【００３１】
図６は、本開示によるＷＵＲモードエレメント５２４の例示的なフォーマットを示している。ＷＵＲモードエレメント５２４は、アクションタイプフィールド６０２、ＷＵＲモード応答状態フィールド６０４、およびＷＵＲパラメータフィールド６０６を含む。アクションタイプフィールド６０２は、図７で定義されており、ＷＵＲアクションフレーム５００によってとられたアクションを示す。ＷＵＲモード応答状態フィールド６０４は、ＷＵＲモードサスペンドまたはＷＵＲモードに入るための要求が受諾されたか拒否されたかを示す。ＷＵＲパラメータフィールド６０６はユーザ固有のＷＵＲパラメータを含み、それは、ＷＵＲ  ＳＴＡにとって好ましいとされるか、ＡＰ１１０によって決定されるもののいずれかである。
【００３２】
図８Ａは、本開示によるＷＵＲ  ＳＴＡによって送信されるＷＵＲモードエレメント５２４のＷＵＲパラメータフィールド６０６の例示的なフォーマットを示している。ＳＴＡによって送信されるＷＵＲモードエレメント５２４のＷＵＲパラメータフィールド６０６は、オン時間フィールド８０２およびデューティサイクル周期フィールド８０４を含む。オン時間フィールド８０２は、各ＷＵＲデューティサイクルスケジュールについて、ＳＴＡのＷＵＲｘがＷＵＲｘアウェイク状態になる好ましいオン時間を示す。好ましいオン時間は、実装を容易にするためにＩＥＥＥ８０２．１１−２０１６で定義された時間ユニット（１０２４ｕｓ）の倍数であり、ＡＰ１１０から最後に受信したＷＵＲ動作エレメントの最小オン時間フィールドで示される最小オン時間以上でなければならない。デューティサイクル周期フィールド８０４は、２つの連続するＷＵＲデューティサイクルスケジュールの開始時刻の間の好ましい経過時間を示す。デューティサイクル周期フィールド８０４は、ＡＰ１１０から最後に受信されたＷＵＲ動作エレメントのデューティサイクル周期ユニットフィールドによって示されるユニットに基づいている。
【００３３】
図８Ｂは、本開示によるＡＰ１１０によって送信されるＷＵＲモードエレメント５２４のＷＵＲパラメータフィールド６０６の第１の例示的なフォーマットを示している。ＡＰ１１０によって送信されるＷＵＲモードエレメント５２４のＷＵＲパラメータフィールド６０６は、ウェイクアップＩＤ（識別子）フィールド８１０、グループ情報フィールド８２０、デューティサイクル情報フィールド８３０、およびＷＵＲサブチャネルインデックスフィールド８４０を含む。ウェイクアップＩＤフィールド８１０は、意図されたＷＵＲ  ＳＴＡにＡＰ１１０によって割り当てられたウェイクアップＩＤを示し、ＡＰ１１０のＢＳＳ内の意図されたＷＵＲ  ＳＴＡを一意に識別する。
【００３４】
グループ情報フィールド８２０は、グループ数フィールド８２２およびグループＩＤタプルフィールド８２４を含む。グループ数フィールド８２２は、意図されたＷＵＲ  ＳＴＡが属するグループの数を示す。グループＩＤタプルフィールド８２４は、意図されたＳＴＡが属する各グループのグループＩＤ情報を含む。グループＩＤは、ＡＰ１１０のＢＳＳ内のＷＵＲ  ＳＴＡのグループを一意に識別する。
【００３５】
デューティサイクル情報フィールド８３０は、開始点フィールド８３２、オン時間フィールド８３４、およびデューティサイクル周期フィールド８３６を含む。開始点フィールド８３２は、意図されたＳＴＡのＷＵＲデューティサイクル動作の決定された開始時間を示す。オン時間フィールド８３４は、各ＷＵＲデューティサイクルスケジュールに対して、意図されたＳＴＡのＷＵＲｘがＷＵＲｘアウェイク状態になるオン時間を決定する。決定されたオン時間は、実装を容易にするためにＩＥＥＥ８０２．１１−２０１６で定義された時間ユニット（１０２４ｕｓ）の倍数であり、最後に送信された最小オン時間フィールドで示される最小オン時間以上でなければならない。デューティサイクル周期フィールド８３６は、２つの連続するＷＵＲデューティサイクルスケジュールの開始時間の間の決定された経過時間を示す。デューティサイクル周期フィールド８３６は、最後に送信されたＷＵＲ動作エレメントのデューティサイクル周期ユニットフィールドによって示されるユニットに基づいている。ＷＵＲモードで動作するＷＵＲ  ＳＴＡでは、決定されたオン時間が、決定されたデューティサイクル周期と等しい場合、そのＰＣＲがドーズ状態にあれば、そのＷＵＲｘは常にＷＵＲｘアウェイク状態になる。
【００３６】
ＷＵＲサブチャネルインデックスフィールド８４０は、とりわけ、ＷＵＲフレームがＦＤＭＡ  ＷＵＲ  ＰＰＤＵ（図２１を参照）で運ばれるとき、意図されたＳＴＡがＷＵＲフレームを受信できるＷＵＲサブチャネルを示す。ＷＵＲサブチャネルは、同期手順およびアソシエーション手順中にＡＰ１１０によって送信される、ＷＵＲオペレーティングクラスフィールドおよびＷＵＲ動作エレメントのＷＵＲチャネルフィールドによって指定されるＷＵＲチャネル内にある（図２を参照）。
【００３７】
図８Ｃは、本開示によるＡＰ１１０によって送信されるＷＵＲモードエレメント５２４のＷＵＲパラメータフィールド６０６の第２の例示的なフォーマットを示している。図８Ｂに示されたようなＷＵＲパラメータフィールド６０６の第１の例示的なフォーマットと比較して、グループ情報フィールド８８０は、ＷＵＲパラメータフィールド６０６の終わりに位置する。グループＩＤタプルフィールド８８４の長さが可変であるため、このフォーマットにより、ＷＵＲパラメータフィールド６０６の残りのフィールドを格納およびデコードする手順が簡単になる。
【００３８】
図８Ｄは、本開示によるＡＰ１１０によって送信されるＷＵＲモードエレメント５２４のＷＵＲパラメータフィールド６０６の第３の例示的なフォーマットを示している。図８Ｂに示されたようなＷＵＲパラメータフィールド６０６の第１の例示的なフォーマットと比較して、グループＩＤタプルフィールド８９４は、グループ情報フィールド８９０から出され、ＷＵＲパラメータフィールド６０６の最後に配置される。グループＩＤタプルフィールド８９４の長さが可変であるため、このフォーマットによっても、ＷＵＲパラメータフィールド６０６の残りのフィールドを格納およびデコードする手順が簡単になる。
【００３９】
（ＷＵＲフレームの例示的なフォーマット）
図１１は、本開示によるＷＵＲフレーム１１００の例示的なフォーマットを示している。ＷＵＲフレーム１１００は、フレーム制御フィールド１１１０、アドレスフィールド１１２０、およびＴＤ（タイプ依存）制御フィールド１１３０を含む。ＷＵＲフレーム１１００は、フレームボディフィールド１１４０を備え得る。ＷＵＲフレーム１１００の意図されたＳＴＡのいずれかが非ゼロ長フレームボディをサポートしない場合、フレームボディフィールド１１４０はＷＵＲフレーム１１００に存在しないものとする。フレーム制御フィールド１１１０は、タイプサブフィールド１１１２および長さ／その他のサブフィールド１１１４を含む。タイプサブフィールド１１１２は、図１２に定義されているように、ＷＵＲフレーム１１００のタイプを定義する。例えば、フレーム制御フィールド１１１０のタイプサブフィールド１１１２が０に設定されたＷＵＲフレーム１１００はＷＵＲビーコンフレームであり、フレーム制御フィールド１１１０のタイプサブフィールド１１１２が１に設定されたＷＵＲフレーム１１００はＷＵＲウェイクアップフレームである。ＷＵＲフレーム１１００は、固定長または可変長のいずれかである。長さ／その他のサブフィールド１１１４は、ＷＵＲフレーム１１００が可変長の場合、フレームボディフィールド１１４０の長さを含み、ＷＵＲフレーム１１００が固定長の場合、他の目的に使用されることが見込まれるビットを含む。ＷＵＲビーコンフレームの長さは一定であり、フレームボディフィールドを含まない。
【００４０】
１２ビットのアドレスフィールド１１２０は、ＷＵＲフレーム１１００の識別子を含む。言い換えれば、アドレスフィールド１１２０は、（０〜４０９５）の範囲内の符号なし整数を含む識別子のスペースに対応する。アドレスフィールド１１２０に含まれる識別子は、ＷＵＲフレーム１１００のタイプに依存する。具体的には、図１３で定義されたように、アドレスフィールド１１２０は、ＷＵＲフレーム１１００がユニキャスト（つまり、個別宛の）ＷＵＲウェイクアップフレームであるときは意図されるＳＴＡのＷＵＲウェイクアップＩＤ、ＷＵＲフレーム１１００がマルチキャスト（つまり、グループ宛の）ＷＵＲウェイクアップフレームであるときはグループＩＤ、ＷＵＲフレーム１１００がブロードキャストＷＵＲウェイクアップフレームもしくはＷＵＲビーコンフレームであるときは送信ＩＤ、ＷＵＲフレームがＷＵＲベンダ固有フレームであるときはＯＵＩ１を含む。ＯＵＩ１は、ＯＵＩ（ベンダの組織に関する一意の識別子）の１２ビットのＭＳＢ（最上位ビット）で表される。１２ビットのＴＤ制御フィールド１１３０は、ＷＵＲフレーム１１００のタイプに依存する制御情報を含む。例えば、ＷＵＲフレーム１１００がＷＵＲビーコンフレームである場合、ＴＤ制御フィールド１１３０は部分的なＴＳＦ（時間同期機能）を含む。
【００４１】
図１１に示されるようなＷＵＲフレーム１１００の場合、ユニキャスト、マルチキャスト、およびブロードキャストＷＵＲウェイクアップフレームのタイプフィールドは同じである。課題は、ＷＵＲ  ＳＴＡが、受信したＷＵＲウェイクアップフレームのアドレスフィールドに基づいて、それが、受信したユニキャスト、マルチキャスト、またはブロードキャストＷＵＲウェイクアップフレームの受信者であるかどうかを適切に識別する方法である。
【００４２】
（第１の実施形態）
本開示の第１の実施形態によれば、ウェイクアップＩＤは１２ビットのサイズを有するが、ウェイクアップＩＤのいくつかの値は使用されない。ウェイクアップＩＤの値の範囲は、グループＩＤの値の範囲または送信ＩＤの値の範囲よりも大きい。例えば、グループＩＤまたは送信ＩＤのサイズは８ビットである。
【００４３】
本開示の第１の実施形態によれば、図１４で定義されたように、ＷＵＲウェイクアップフレームのアドレスフィールド１１２０は、ユニキャストＷＵＲウェイクアップフレーム用の１２ビットの変換されたウェイクアップＩＤ、マルチキャストＷＵＲウェイクアップ用の１２ビットの変換されたグループＩＤ、ブロードキャストＷＵＲウェイクアップフレーム用の１２ビットの変換された送信ＩＤ、またはＷＵＲフレームがＷＵＲベンダ固有フレームであるときのＯＵＩ１を含み、１２ビットの変換されたグループＩＤおよび１２ビットの変換された送信ＩＤは、１２ビットのウェイクアップＩＤの異なる未使用値をとる。言い換えれば、１２ビットの変換されたグループＩＤ、１２ビットの変換された送信ＩＤ、および１２ビットウェイクアップＩＤの値の範囲は相互に排他的である。その結果、ＷＵＲ  ＳＴＡは、図１５Ｂまたは１５Ｃに示されるように、それが、受信したＷＵＲウェイクアップフレームのアドレスフィールドに基づいて、受信したユニキャスト、マルチキャスト、またはブロードキャストＷＵＲウェイクアップフレームの意図された受信者であるかどうかを適切に識別できる。
【００４４】
本開示の第１の実施形態によれば、８ビットの送信ＩＤは、対応する１２ビットの変換された送信ＩＤのうちの８ビットのＬＳＢ（右端ビット）である。例えば、０ｘ０３Ｂの１２ビットの変換された送信ＩＤの場合、対応する８ビットの送信ＩＤは０ｘ３Ｂである。その結果、変換された送信ＩＤの値の範囲は、アドレスフィールドの連続した値のサブセットである。
【００４５】
本開示の第１の実施形態によれば、変換された送信ＩＤの値の範囲は固定されている（例えば、１２ビットの変換された送信ＩＤの４つのＭＳＢは０ｘ０に固定されている）が、ＡＰの変換された送信ＩＤの値は隣接ＡＰの変換された送信ＩＤとの間の衝突を最小限に抑えるために変更可能である。この場合、ＡＰ１１０の変換された送信ＩＤ値がＡＰ１１０によってランダムに選択される場合、同期手順およびアソシエーション手順（図２を参照）中にＡＰ１１０によって送信されるＷＵＲ動作エレメント（図３Ｂを参照）の送信ＩＤフィールドで、ＡＰ１１０の１２ビットの変換された送信ＩＤのうちの８つだけのＬＳＢを示すことで十分である。その結果、ＷＵＲネゴシエーション手順によって生じるチャネルオーバヘッドが最小限に抑えられる。
【００４６】
本開示の第１の実施形態によれば、８ビットのグループＩＤは、対応する１２ビットの変換されたグループＩＤのうちの８つのＬＳＢである。例えば、１２ビットの変換された０ｘ１４ＤのグループＩＤの場合、対応する８ビットのグループＩＤは０ｘ４Ｄである。その結果、変換されたグループＩＤの値の範囲は、アドレスフィールドの連続した値のサブセットになる。
【００４７】
本開示の第１の実施形態によれば、変換されたグループＩＤの値の範囲は固定されている（例えば、１２ビットの変換されたグループＩＤの４つのＭＳＢは０ｘ１に固定されている）。この場合、ＡＰ１１０とＳＴＡとの間のＷＵＲネゴシエーション手順（図２および図４を参照）中にＡＰ１１０によって送信されるＷＵＲモードエレメントにおける、ＷＵＲパラメータフィールドのグループＩＤタプルフィールド（図８Ｂ、８Ｃ、または８Ｄを参照）で、ＡＰ１１０によってＷＵＲ  ＳＴＡに割り当てられた各１２ビットの変換されたグループＩＤのうちの８つだけのＬＳＢを示すことで十分である。その結果、ＷＵＲネゴシエーション手順によって生じるチャネルオーバヘッドが最小限に抑えられる。
【００４８】
図１５Ａは、本開示の第１の実施形態によるＷＵＲウェイクアップフレームのアドレスフィールドの例示的なアドレススペースを示している。この例では、変換された送信ＩＤの値の範囲は０ｘ０００〜０ｘ０ＦＦ、変換されたグループＩＤの値の範囲は０ｘ１００〜０ｘ１ＦＦ、ウェイクアップＩＤの値の範囲は０ｘ２００〜０ｘＦＦＦである。
【００４９】
本開示の第１の実施形態によれば、ＷＵＲ  ＳＴＡは、ＷＵＲウェイクアップフレームを含むＷＵＲ  ＰＰＤＵを受信するとき、最初に、ＷＵＲウェイクアップフレームのアドレスフィールドを復号し、フレームフィルタリング手順を実行することができる。
【００５０】
図１５Ｂは、本開示の第１の実施形態による第１の例示的なフレームフィルタリング手順１５００を示している。手順１５００はステップ１５０２で開始する。ステップ１５０４で、ＳＴＡは、受信したＷＵＲウェイクアップフレームのアドレスフィールドに含まれる識別子が、そのウェイクアップＩＤまたはＡＰ１１０の変換された送信ＩＤと一致するかどうかを判定する。受信したＷＵＲウェイクアップフレームのアドレスフィールドに含まれる識別子が、そのウェイクアップＩＤまたはＡＰ１１０の変換された送信ＩＤと一致する場合、ステップ１５０６で、ＳＴＡは、それが、受信したＷＵＲウェイクアップフレームの意図された受信者であると判定し、受信したＷＵＲウェイクアップフレームのアドレスフィールドに続くフィールドを復号し、手順１５００はステップ１５２０で停止する。そうでない場合、手順１５００はステップ１５１０に進む。
【００５１】
ステップ１５１０で、ＳＴＡは、受信したＷＵＲウェイクアップフレームのアドレスフィールドに含まれる識別子が、その変換されたグループＩＤのいずれかに一致するかどうかを判定する。受信したＷＵＲウェイクアップフレームのアドレスフィールドに含まれる識別子が、その変換されたグループＩＤのいずれかに一致する場合、手順１５００はステップ１５０６に進む。そうでない場合、ステップ１５１２で、ＳＴＡは、それが、受信したＷＵＲウェイクアップフレームの意図された受信者ではないと判定し、受信したＷＵＲウェイクアップフレームを破棄し、手順１５００はステップ１５２０で停止する。
【００５２】
第１の例示的なフレームフィルタリング手順１５００では、ステップ１５０４はステップ１５１０と交換できることに留意されたい。
【００５３】
本開示の第１の実施形態によれば、ＷＵＲ  ＳＴＡがＷＵＲ  ウェイクアップフレームを含むＷＵＲ  ＰＰＤＵを受信する場合、図１５Ｂに示されたように、フレームフィルタリング手順１５００を実行することにより、ＳＴＡは、受信したＷＵＲのウェイクアップフレームのアドレスフィールドに続くフィールドを復号する必要がない場合があり、したがって、ＳＴＡの消費電力を低減できる。
【００５４】
図１５Ｃは、本開示の第１の実施形態による第２の例示的なフレームフィルタリング手順１５５０を示している。手順１５５０は、ステップ１５５２で開始する。ステップ１５５４で、ＳＴＡは、受信したＷＵＲウェイクアップフレームのアドレスフィールドに含まれる識別子が、そのウェイクアップＩＤまたはＡＰ１１０の変換された送信ＩＤと一致するかどうかを判定する。受信したＷＵＲウェイクアップフレームのアドレスフィールドに含まれる識別子が、そのウェイクアップＩＤまたはＡＰ１１０の変換された送信ＩＤと一致する場合、ステップ１５５６で、ＳＴＡは、それが、受信したＷＵＲウェイクアップフレームの意図された受信者であると判定し、受信したＷＵＲウェイクアップフレームのアドレスフィールドに続くフィールドを復号し、手順１５５０はステップ１５７０で停止する。そうでない場合、手順１５５０はステップ１５５８に進む。
【００５５】
ステップ１５５８で、ＳＴＡは、受信したＷＵＲウェイクアップフレームのアドレスフィールドに含まれる識別子が、変換されたグループＩＤの値の範囲内にあるかどうかを判定する。受信したＷＵＲウェイクアップフレームのアドレスフィールドに含まれる識別子が、変換されたグループＩＤの値の範囲内にない場合、ステップ１５６２で、ＳＴＡは、それが、受信したＷＵＲウェイクアップフレームの意図された受信者でないと判定し、受信したＷＵＲウェイクアップフレームを破棄し、手順１５５０はステップ１５７０で停止する。そうでない場合、手順１５５０はステップ１５６０に進む。
【００５６】
ステップ１５６０で、ＳＴＡは、受信したＷＵＲウェイクアップフレームのアドレスフィールドに含まれる識別子が、その変換されたグループＩＤのいずれかに一致するかどうかを判定する。受信したＷＵＲウェイクアップフレームのアドレスフィールドに含まれる識別子が、その変換されたグループＩＤのいずれかに一致する場合、手順１５５０はステップ１５５６に進む。そうでない場合、手順１５５０はステップ１５６２で停止する。
【００５７】
本開示の第１の実施形態によれば、図１５Ｃに示されたような第２の例示的なフレームフィルタリング手順１５５０は、ステップ１５６０をスキップしてもよい。したがって、図１５Ｂに示されたような第１の例示的なフレームフィルタリング手順１５００と比較して、とりわけ、ＳＴＡが多数のグループに属する場合、ＷＵＲ  ＳＴＡは、受信されたＷＵＲウェイクアップフレームをより速いペースでフィルタリングすることができ得る。
【００５８】
（第２の実施形態）
本開示の第２の実施形態によれば、ウェイクアップＩＤは１１ビットのサイズを有する。ウェイクアップＩＤの値の範囲は、グループＩＤの値の範囲または送信ＩＤの値の範囲よりも大きい。例えば、グループＩＤまたは送信ＩＤのサイズは８ビットである。
【００５９】
本開示の第２の実施形態によれば、図１６で定義されたように、ＷＵＲウェイクアップフレームのアドレスフィールド１１２０は、ユニキャストＷＵＲウェイクアップフレーム用の１２ビットの変換されたウェイクアップＩＤ、マルチキャストＷＵＲウェイクアップ用の１２ビットの変換されたグループＩＤ、ブロードキャストＷＵＲウェイクアップフレーム用の１２ビットの変換された送信ＩＤ、またはＷＵＲフレームがＷＵＲベンダ固有フレームであるときのＯＵＩ１を含み、１２ビットの変換されたウェイクアップＩＤ、１２ビットの変換されたグループＩＤ、および１２ビットの変換された送信ＩＤは、アドレスフィールドの異なる値を占有する。言い換えれば、１２ビットの変換されたグループＩＤ、１２ビットの変換された送信ＩＤ、および１２ビットウェイクアップＩＤの値の範囲は相互に排他的である。その結果、ＷＵＲ  ＳＴＡは、図１７Ｂに示されたたように、それが、受信したユニキャスト、マルチキャスト、またはブロードキャストＷＵＲウェイクアップフレームの意図された受信者であるかどうかを、受信したＷＵＲウェイクアップフレームのアドレスフィールドに基づいて適切に識別できる。
【００６０】
本開示の第２の実施形態によれば、１１ビットのウェイクアップＩＤは、対応する１２ビットの変換されたウェイクアップＩＤのうちの１１ビットのＬＳＢである。例えば、０ｘ９ＦＥの１２ビットの変換されたウェイクアップＩＤの場合、対応する１１ビットのウェイクアップＩＤは０ｂ００１１１１１１１１０である。その結果、変換されたウェイクアップＩＤの値の範囲は、アドレスフィールドの連続した値のサブセットになる。
【００６１】
本開示の第２の実施形態によれば、変換されたウェイクアップＩＤの値の範囲は固定されている（例えば、１２ビットの変換されたウェイクアップＩＤのＭＳＢは１に固定されている）。この場合、ＡＰ１１０とＳＴＡとの間のＷＵＲネゴシエーション手順（図２および図４を参照）中にＡＰ１１０によって送信されるＷＵＲモードエレメントにおける、ＷＵＲパラメータフィールドのウェイクアップフィールドＩＤ（図８Ｂ、８Ｃ、または８Ｄを参照）で、ＡＰ１１０によってＷＵＲ  ＳＴＡに割り当てられた１２ビットの変換されたウェイクアップＩＤのうちの１１個だけのＬＳＢを示すことで十分である。その結果、ＷＵＲネゴシエーション手順によって生じるチャネルオーバヘッドが最小限に抑えられる。
【００６２】
本開示の第２の実施形態によれば、８ビットのグループＩＤは、対応する１２ビットの変換されたグループＩＤのうちの８つのＬＳＢである。例えば、１２ビットの変換された０ｘ４４ＤのグループＩＤの場合、対応する８ビットのグループＩＤは０ｘ４Ｄである。その結果、変換されたグループＩＤの値の範囲は、アドレスフィールドの連続した値のサブセットになる。
【００６３】
本開示の第２の実施形態によれば、変換されたグループＩＤの値の範囲は固定されている（例えば、１２ビットの変換されたグループＩＤの４つのＭＳＢは０ｘ４に固定されている）。この場合、ＡＰ１１０とＳＴＡとの間のＷＵＲネゴシエーション手順（図２および図４を参照）中にＡＰ１１０によって送信されるＷＵＲモードエレメントにおける、ＷＵＲパラメータフィールドのグループＩＤタプルフィールド（図８Ｂ、８Ｃ、または８Ｄを参照）で、ＡＰ１１０によってＷＵＲ  ＳＴＡに割り当てられた各１２ビットの変換されたグループＩＤのうちの８つだけのＬＳＢを示すことで十分である。その結果、ＷＵＲネゴシエーション手順によって生じるチャネルオーバヘッドが最小限に抑えられる。
【００６４】
本開示の第２の実施形態によれば、８ビットの送信ＩＤは、対応する１２ビットの変換された送信ＩＤのうちの８つのＬＳＢである。例えば、１２ビットの変換された０ｘ０３Ｂの送信ＩＤの場合、対応する８ビットのグループＩＤは０ｘ３Ｂである。その結果、変換された送信ＩＤの値の範囲は、アドレスフィールドの連続した値のサブセットになる。
【００６５】
本開示の第２の実施形態によれば、変換された送信ＩＤの値の範囲は固定されている（例えば、１２ビットの変換された送信ＩＤの４つのＭＳＢは０ｘ０に固定されている）が、ＡＰの変換された送信ＩＤの値は隣接ＡＰの変換された送信ＩＤとの間の衝突を最小限に抑えるために変更可能である。この場合、ＡＰ１１０の変換された送信ＩＤ値がＡＰ１１０によってランダムに選択される場合、同期手順およびアソシエーション手順（図２を参照）中にＡＰ１１０によって送信されるＷＵＲ動作エレメント（図３Ｂを参照）の送信ＩＤフィールドで、ＡＰ１１０の１２ビットの変換された送信ＩＤのうちの８つだけのＬＳＢを示すことで十分である。その結果、ＷＵＲネゴシエーション手順によって生じるチャネルオーバヘッドが最小限に抑えられる。
【００６６】
図１７Ａは、本開示の第２の実施形態によるＷＵＲウェイクアップフレームのアドレスフィールドの例示的なアドレススペースを示している。この例では、変換された送信ＩＤの値の範囲は０ｘ０００〜０ｘ０ＦＦ、変換されたグループＩＤの値の範囲は０ｘ４００〜０ｘ４ＦＦ、変換されたウェイクアップＩＤの値の範囲は０ｘ８００〜０ｘＦＦＦである。
【００６７】
本開示の第２の実施形態によれば、アドレスフィールドの特定のビット、例えば図１７Ａに示されたようなＢ１１（ＭＳＢ）は、ＷＵＲウェイクアップフレームがユニキャストであるかどうかを示す。アドレスフィールドの別の特定のビット、例えば図１７Ａに示されたようなＢ１０は、マルチキャストＷＵＲウェイクアップフレームとブロードキャストＷＵＲウェイクアップフレームをさらに区別する。本開示の第１の実施形態と比較して、ＷＵＲｘが、ユニキャスト、マルチキャスト、およびブロードキャストＷＵＲウェイクアップフレームを識別することははるかに簡単である。
【００６８】
本開示の第２の実施形態によれば、ＷＵＲ  ＳＴＡは、ＷＵＲウェイクアップフレームを含むＷＵＲ  ＰＰＤＵを受信するとき、最初に、ＷＵＲウェイクアップフレームのアドレスフィールドを復号し、フレームフィルタリング手順を実行することができる。
【００６９】
図１７Ｂは、本開示の第２の実施形態による例示的なフレームフィルタリング手順１７００を示している。手順１７００はステップ１７０２で開始する。ステップ１７０４で、ＳＴＡは、アドレスフィールドのＢ１１（ＭＳＢ）およびＢ１０をチェックすることにより、受信したＷＵＲウェイクアップフレームのアドレスフィールドに含まれる識別子が、変換されたウェイクアップＩＤ、変換されたグループＩＤ、または変換された送信ＩＤと一致するかどうかを判定する。受信したＷＵＲウェイクアップフレームのアドレスフィールドに含まれる識別子が、変換されたウェイクアップＩＤである場合、手順１７００はステップ１７０６に進む。受信したＷＵＲウェイクアップフレームのアドレスフィールドに含まれる識別子が、変換されたグループＩＤである場合、手順１７００はステップ１７１０に進む。受信したＷＵＲウェイクアップフレームのアドレスフィールドに含まれる識別子が、変換された送信ＩＤである場合、手順１７００はステップ１７０８に進む。
【００７０】
ステップ１７０６で、ＳＴＡは、受信したＷＵＲウェイクアップフレームのアドレスフィールドに含まれる識別子が、その変換されたウェイクアップＩＤと一致するかどうかを判定する。受信したＷＵＲウェイクアップフレームのアドレスフィールドに含まれる識別子が、その変換されたウェイクアップＩＤと一致する場合、ステップ１７１２で、ＳＴＡは、それが、受信したＷＵＲウェイクアップフレームの意図された受信者であると判定し、受信したＷＵＲウェイクアップフレームのアドレスフィールドに続くフィールドを復号し、手順１７００はステップ１７２０で停止する。そうでない場合、ステップ１７１４で、ＳＴＡは、それが、受信したＷＵＲウェイクアップフレームの意図された受信者ではないと判定し、ＷＵＲウェイクアップフレームを破棄し、その後、手順１７００はステップ１７２０で停止する。
【００７１】
ステップ１７０８で、ＳＴＡは、受信したＷＵＲウェイクアップフレームのアドレスフィールドに含まれる識別子が、ＡＰ１１０の変換された送信ＩＤと一致するかどうかを判定する。受信したＷＵＲウェイクアップフレームのアドレスフィールドに含まれる識別子が、ＡＰ１１０の変換された送信ＩＤと一致する場合、手順１７００はステップ１７１２に進む。そうでない場合、手順１７００はステップ１７１４に進む。
【００７２】
ステップ１７１０で、ＳＴＡは、受信したＷＵＲウェイクアップフレームのアドレスフィールドに含まれる識別子が、その変換されたグループＩＤのいずれかに一致するかどうかを判定する。受信したＷＵＲウェイクアップフレームのアドレスフィールドに含まれる識別子が、その変換されたグループＩＤのいずれかに一致する場合、手順１７００はステップ１７１２に進む。そうでない場合、手順１７００はステップ１７１４に進む。
【００７３】
本開示の第２の実施形態によれば、ＷＵＲ  ＳＴＡがＷＵＲ  ウェイクアップフレームを含むＷＵＲ  ＰＰＤＵを受信するとき、図１７Ｂに示されたように、フレームフィルタリング手順１７００を実行することにより、ＳＴＡは、ＷＵＲのウェイクアップフレームのアドレスフィールドに続くフィールドを復号する必要がない場合があり、したがって、ＳＴＡの消費電力を低減できる。
【００７４】
（第３の実施形態）
本開示の第３の実施形態によれば、図１３で定義されたように、ＷＵＲウェイクアップフレームのアドレスフィールドは、ユニキャストＷＵＲウェイクアップフレームのウェイクアップＩＤ、マルチキャストＷＵＲウェイクアップフレームのグループＩＤ、またはブロードキャストＷＵＲウェイクアップフレームの送信ＩＤを含む。ウェイクアップＩＤ、グループＩＤ、および送信ＩＤの各々のサイズは１２ビットである。
【００７５】
本開示の第３の実施形態によれば、グループＩＤの値の範囲は、アドレスフィールドの連続する値のサブセットである。グループＩＤの値の範囲は、固定または変更可能である。グループＩＤの値の範囲が変更可能である場合、異なるＡＰのＢＳＳのグループＩＤの値の範囲は異なってよい。その結果、異なるＡＰによって同じグループＩＤを割り当てる可能性が最小限に抑えられ、これは、ＷＵＲ  ＳＴＡがアドレスフィールドを使用してマルチキャストＷＵＲウェイクアップフレームを適切にフィルタリングするのに役立つ。
【００７６】
本開示の第３の実施形態によれば、グループＩＤの値の範囲が固定される（例えば、１２ビットグループＩＤの４つのＭＳＢが０ｘ４に固定される）場合、ＡＰ１１０とＳＴＡとの間のＷＵＲネゴシエーション手順（図２および図４を参照）中にＡＰ１１０によって送信されるＷＵＲモードエレメントにおける、ＷＵＲパラメータフィールドのグループＩＤタプルフィールド（図８Ｂ、８Ｃ、または８Ｄを参照）で、ＡＰ１１０によってＷＵＲ      
【００７７】
ＳＴＡに割り当てられた各１２ビットのグループＩＤのうちの８つだけのＬＳＢを示すことで十分である。その結果、ＷＵＲネゴシエーション手順によって生じるチャネルオーバヘッドが最小限に抑えられる。
【００７８】
本開示の第３の実施形態によれば、グループＩＤの値の範囲が変更可能である場合、ＡＰ１１０によってＷＵＲ  ＳＴＡに割り当てられた各１２ビットのグループＩＤの８つのＬＳＢに加えて、１２ビットグループＩＤの４つのＭＳＢが、同期手順およびアソシエーション手順中にＡＰ１１０によって送信されたＷＵＲ動作エレメント（図３Ｂを参照）のグループＩＤ範囲指示フィールドに示される。その結果、ＳＴＡは、ＡＰ１１０とＳＴＡとの間のＷＵＲネゴシエーション手順中に受信したＷＵＲモードエレメントのＷＵＲパラメータフィールドのグループＩＤタプルフィールドと、同期手順およびアソシエーション手順中に受信したＷＵＲ動作エレメントのグループＩＤ範囲表示フィールドとから、割り当てられたグループＩＤを知ることができる。
【００７９】
本開示の第３の実施形態によれば、ＡＰ１１０によってＷＵＲ  ＳＴＡに割り当てられた１２ビットのウェイクアップＩＤは、ＡＰ１１０とＳＴＡとの間のＷＵＲネゴシエーション手順（図２および図４を参照）中にＡＰ１１０によって送信されたＷＵＲモードエレメントのＷＵＲパラメータフィールド（図８Ｂ、８Ｃまたは８Ｄを参照）のウェイクアップＩＤフィールドで示される。
【００８０】
本開示の第３の実施形態によれば、ＡＰの送信ＩＤの値は、隣接するＡＰの送信ＩＤとの間の衝突を最小限に抑えるために変更可能である。ＡＰ１１０の送信ＩＤ値がＡＰ１１０によってランダムに選択される場合、ＡＰ１１０とＳＴＡとの間の同期手順およびアソシエーション手順（図２を参照）中にＡＰ１１０によって送信されるＷＵＲ動作エレメント（図３Ｂを参照）の送信ＩＤフィールドにおいて、ＡＰ１１０の１２ビットの送信ＩＤが示される。
【００８１】
本開示の第３の実施形態によれば、アドレスフィールドが０ｘ０００の特別なＩＤに設定されたＷＵＲウェイクアップフレームは、特別なブロードキャストＷＵＲウェイクアップフレームであり、フレームボディが存在し、２つ以上のウェイクアップＩＤを含む。言い換えれば、この特別なブロードキャストＷＵＲ  ウェイクアップフレームは、２つ以上のＷＵＲ  ＳＴＡをウェイクアップするために使用される。
【００８２】
本開示の第３の実施形態によれば、ＡＰ１１０によって関連付けられたＷＵＲ  ＳＴＡに割り当てられたウェイクアップＩＤの値、ＡＰ１１０によって関連付けられたＷＵＲ  ＳＴＡに割り当てたグループＩＤの値、特別なＩＤの値、およびＡＰ１１０の送信ＩＤの値は異なるものとする。その結果、図１８Ｂに示したように、ＷＵＲ  ＳＴＡは、それが、受信したＷＵＲウェイクアップフレームの受信者であるかどうかを、アドレスフィールドに基づいて識別できる。
【００８３】
図１８Ａは、本開示の第３の実施形態によるＷＵＲウェイクアップフレームのアドレスフィールドの例示的なアドレススペースを示している。この例では、送信ＩＤの値は０ｘ５００、グループＩＤの値の範囲は０ｘ４００〜０ｘ４ＦＦ、ウェイクアップＩＤの値の範囲は０ｘ１００〜０ｘ３ＦＦおよび０ｘ５０１〜０ｘＦＦＦである。加えて、０ｘ０００の特別なＩＤがある。
【００８４】
本開示の第３の実施形態によれば、ＷＵＲ  ＳＴＡは、ＷＵＲウェイクアップフレームを含むＷＵＲ  ＰＰＤＵを受信するとき、最初に、ＷＵＲウェイクアップフレームのアドレスフィールドを復号し、フレームフィルタリング手順を実行することができる。
【００８５】
図１８Ｂは、本開示の第３の実施形態による例示的なフレームフィルタリング手順１８００を示している。手順１８００はステップ１８０２で開始する。ステップ１８０４で、ＳＴＡは、受信したＷＵＲウェイクアップフレームのアドレスフィールドに含まれる識別子が、そのウェイクアップＩＤ、特別なＩＤ、またはＡＰ１１０の送信ＩＤと一致するかどうかを判定する。受信したＷＵＲウェイクアップフレームのアドレスフィールドに含まれる識別子が、ウェイクアップＩＤ、特別なＩＤまたはＡＰ１１０の送信ＩＤと一致する場合、ステップ１８０６で、ＳＴＡは、それが、受信したＷＵＲウェイクアップフレームの意図された受信者であると決定し、フレームをアップし、受信したＷＵＲウェイクアップフレームのアドレスフィールドに続くフィールドを復号し、その後、手順１８００はステップ１８２０で停止する。そうでない場合、手順１８００はステップ１８０８に進む。
【００８６】
ステップ１８０８で、ＳＴＡは、受信したＷＵＲウェイクアップフレームのアドレスフィールドに含まれる識別子が、グループＩＤの値の範囲内にあるかどうかを判定する。受信したＷＵＲウェイクアップフレームのアドレスフィールドに含まれる識別子がグループＩＤの値の範囲内にない場合、ステップ１８１２で、ＳＴＡは、それが、受信したＷＵＲウェイクアップフレームの意図された受信者ではないと判定し、受信したＷＵＲウェイクアップフレームを破棄し、手順１８００はステップ１８２０で停止する。そうでない場合、手順１８００はステップ１８１０に進む。
【００８７】
ステップ１８１０で、ＳＴＡは、受信したＷＵＲウェイクアップフレームのアドレスフィールドに含まれる識別子が、その変換されたグループＩＤのいずれかに一致するかどうかを判定する。受信したＷＵＲウェイクアップフレームのアドレスフィールドに含まれる識別子が、その変換されたグループＩＤのいずれかに一致する場合、手順１８００はステップ１８０６に進む。そうでない場合、手順１８００はステップ１８１２に進む。
【００８８】
本開示の第３の実施形態によれば、ＷＵＲ  ＳＴＡがＷＵＲ  ウェイクアップフレームを含むＷＵＲ  ＰＰＤＵを受信するとき、図１８Ｂに示されたように、フレームフィルタリング手順１８００を実行することにより、ＳＴＡは、ＷＵＲのウェイクアップフレームのアドレスフィールドに続くフィールドを復号する必要がない場合があり、したがって、ＳＴＡの消費電力を低減できる。
【００８９】
（ＷＵＲビーコンフレームの例示的なフォーマット）
図１９は、本開示によるＷＵＲビーコンフレーム１９００の例示的なフォーマットを示している。ＷＵＲビーコンフレーム１９００は、タイプフィールドが０に設定されたＷＵＲフレーム（図１２を参照）である。ＷＵＲビーコンフレーム１９００は、フレーム制御フィールド１９１０およびＴＤ制御フィールド１９３０を含む。フレーム制御フィールド１９１０は、その他フィールド１９１４を含む。その他フィールド１９１４とＴＤ制御フィールド１９３０は、部分的なＴＳＦを一緒に示す。より詳細には、その他フィールド１９１４は部分的なＴＳＦの低位部分を成し、ＴＤ制御フィールド１９３０は部分的なＴＳＦの高位部分を成す。例えば、１５ビットの部分的なＴＳＦがＷＵＲビーコンフレームで運ばれる場合、その他フィールド１９１４は、１５ビットの部分的なＴＳＦの３つのＬＳＢを含み、ＴＤ制御フィールド１９３０は、１５ビットの部分的なＴＳＦの１２個のＭＳＢを含む。その結果、ＷＵＲ  ＳＴＡは、より良好なＷＵＲ同期を達成することができる。
【００９０】
（ＷＵＲ  ＰＰＤＵの例示的なフォーマット）
図２０は、本開示による非ＦＤＭＡ  ＷＵＲ  ＰＰＤＵ２０００の例示的なフォーマットを示している。ＷＵＲ  ＰＰＤＵ２０００は、レガシープリアンブル２００２、ＢＰＳＫ（バイナリ位相シフトキーイング）マークフィールド２００４、ＷＵＲ同期フィールド２００６、およびＷＵＲデータフィールド２００８を備える。レガシープリアンブル２００２およびＢＰＳＫマークフィールド２００４は２０ＭＨｚ帯域幅で送信され、一方、ＷＵＲ同期フィールド２００６およびＷＵＲデータフィールド２００８は、はるかに狭い帯域幅（例えば、４ＭＨｚ）で送信される。レガシープリアンブル２００２およびＢＰＳＫマークフィールド２００４は、サードパーティのＳＴＡが、不必要なチャネルアクセスの衝突を回避するのを支援する。ＷＵＲ同期フィールド２００６は、ＷＵＲｘが時刻同期とパケット検出を実行するために使用することを目的としている。ＷＵＲ同期フィールド２００６は、ＷＵＲデータフィールド２００８のデータ速度を示すためにも使用される。ＷＵＲデータフィールド２００８は、ＷＵＲフレーム（例えば、ＷＵＲビーコンフレームまたはＷＵＲウェイクアップフレーム）を含む。ＷＵＲ同期フィールド２００６およびＷＵＲデータフィールド２００８は、ＷＵＲサブチャネルを経由して送信される。ＷＵＲフレームの意図された受信者であるＷＵＲ  ＳＴＡに、ＡＰ１１０によって割り当てられたＷＵＲサブチャネルは、ＡＰ１１０とＳＴＡとの間のＷＵＲネゴシエーション手順中に、ＡＰ１１０によって送信されたＷＵＲモードエレメントのＷＵＲパラメータフィールドのＷＵＲサブチャネルインデックスフィールドに示される。
【００９１】
図２１は、本開示によるＦＤＭＡ  ＷＵＲ  ＰＰＤＵ２１００の例示的なフォーマットを示している。ＷＵＲ  ＰＰＤＵ２１００は、レガシープリアンブル２１０２、ＢＰＳＫマークフィールド２１０４、第１のＷＵＲ同期フィールド２１０６ａ、第２のＷＵＲ同期フィールド２１０６ｂ、第１のＷＵＲデータフィールド２１０８ａ、および第２のＷＵＲデータフィールド２１０８ｂを含む。レガシープリアンブル２１０２およびＢＰＳＫマークフィールド２１０４は２０ＭＨｚ帯域幅で送信され、一方、第１のＷＵＲ同期フィールド２１０６ａ、第２のＷＵＲ同期フィールド２１０６ｂ、第１のＷＵＲデータフィールド２１０８ａおよび第２のＷＵＲデータフィールド２１０８ｂは、それぞれ、はるかに狭い帯域幅（例えば、４ＭＨｚ）で送信される。レガシープリアンブル２１０２およびＢＰＳＫマークフィールド２１０４は、サードパーティのＳＴＡが、不要なチャネルアクセス衝突を回避するのを支援する。
【００９２】
第１のＷＵＲ同期フィールド２１０６ａは、時間同期およびパケット検出を実行するためにＷＵＲｘによって使用されることを目的とする。第１のＷＵＲ同期フィールド２１０６ａはまた、第１のＷＵＲデータフィールド２１０８ａのデータ速度を示すために使用される。第１のＷＵＲデータフィールド２１０８ａは、第１のＷＵＲフレームを含む。第１のＷＵＲ同期フィールド２１０６ａおよび第１のＷＵＲデータフィールド２１０８ａは、第１のＷＵＲサブチャネルを経由して送信される。第１のＷＵＲフレームの意図された受信者であるＷＵＲ  ＳＴＡに、ＡＰ１１０によって割り当てられた第１のＷＵＲサブチャネルは、ＡＰ１１０とＳＴＡとの間のＷＵＲネゴシエーション手順中に、ＡＰ１１０によって送信されたＷＵＲモードエレメントのＷＵＲパラメータフィールドのＷＵＲサブチャネルインデックスフィールドに示される。
【００９３】
第２のＷＵＲ同期フィールド２１０６ｂは、時間同期およびパケット検出を実行するためにＷＵＲｘによって使用されることを目的とする。第２のＷＵＲ同期フィールド２１０６ｂはまた、第２のＷＵＲデータフィールド２１０８ｂのデータ速度を示すために使用される。第２のＷＵＲデータフィールド２１０８ｂは、第２のＷＵＲフレームを含む。第２のＷＵＲ同期フィールド２１０６ｂおよび第２のＷＵＲデータフィールド２１０８ｂは、第２のＷＵＲサブチャネルを経由して送信される。第２のＷＵＲフレームの意図された受信者であるＷＵＲ  ＳＴＡに、ＡＰ１１０によって割り当てられた第２のＷＵＲサブチャネルは、ＡＰ１１０とＳＴＡとの間のＷＵＲネゴシエーション手順中に、ＡＰ１１０によって送信されるＷＵＲモードエレメントのＷＵＲパラメータフィールドのＷＵＲサブチャネルインデックスフィールドに示される。
【００９４】
本開示によれば、第１のＷＵＲデータフィールド２１０８ａに含まれる第１のＷＵＲフレーム、および第２のＷＵＲデータフィールド２１０８ｂに含まれる第２のＷＵＲフレームは、異なるＷＵＲ  ＳＴＡに充てられる。一例として、第１のＷＵＲデータフィールド２１０８ａに含まれる第１のＷＵＲフレームも、第２のＷＵＲデータフィールド２１０８ｂに含まれる第２のＷＵＲフレームも、ブロードキャストＷＵＲウェイクアップフレームまたはＷＵＲビーコンフレームではない。別の例では、第１のＷＵＲデータフィールド２１０８ａに含まれる第１のＷＵＲフレームがユニキャストＷＵＲウェイクアップフレームであり、第２のＷＵＲデータフィールド２１０８ｂに含まれる第２のＷＵＲフレームがマルチキャストＷＵＲウェイクアップフレームであると仮定すると、第１のＷＵＲフレームの意図されたＳＴＡは、第２のＷＵＲフレームの意図されたＳＴＡのグループには属さない。そうすることで、ＷＵＲ  ＳＴＡは、異なるＷＵＲチャネルで２つ以上のＷＵＲフレームを同時に受信する必要がなくなり、実装の複雑さが大幅に軽減される。
【００９５】
（ＷＵＲ装置の構成）
図２２Ａは、ＷＵＲ２２００の例の単純なブロック図である。ＷＵＲ２２００は、図１に示されたような、ＳＴＡ１３０内のＷＵＲ１３４またはＳＴＡ１４０内のＷＵＲ１４４であり得る。ＷＵＲ２２００は、受信機２２１０および受信信号処理回路２２２０を含む。受信機２２１０は、ＷＵＲ信号を受信する役割を担い、受信信号処理回路２２２０は、受信したＷＵＲ信号を処理する役割を担う。
【００９６】
図２２Ｂは、例示的なＷＵＲ２２００の詳細なブロック図である。ＷＵＲ２２００は、制御回路２２３０と、ＷＵＲメモリ２２６０と、クロック発振器２２５０によって駆動されるＷＵＲ  ＴＳＦタイマ２２４０と、をさらに備える。制御回路２２３０は、一般的なＭＡＣプロトコル動作を制御するために使用される。特に、制御回路２２３０は、受信した部分的なＴＳＦによってＷＵＲ  ＴＳＦタイマ２２４０を設定するために使用される。ＷＵＲ２２００の受信機２２１０は、アンテナを通じて受信したＷＵＲ  ＰＰＤＵをＷＵＲフレームに変換する役割を担うＰＨＹ処理回路２２１２を備える。ＷＵＲ２２００の受信信号処理回路２２２０は、制御回路２２３０の制御下で受信ＷＵＲフレームを処理し、対応するＷＵＲフレーム情報を制御回路２２３０に渡す役割を担うメッセージ処理回路２２２２を含む。例えば、メッセージ処理回路２２２２は、受信されたＷＵＲビーコンフレームの各々から部分的なＴＳＦを抽出するために使用される。受信されたＷＵＲフレームは、本開示の様々な実施形態によって構成される。ＷＵＲメモリ２２６０は、とりわけ、ＷＵＲ  ＳＴＡがＷＵＲモードサスペンドで動作するとき、ＷＵＲ２２００を含むＷＵＲ  ＳＴＡ（例えば、１３０または１４０）とＡＰ１１０との間でネゴシエートされたＷＵＲパラメータを格納する役割を担う。
【００９７】
ＷＵＲ２２００は、見通しを良くするために図２２Ａおよび図２２Ｂには示されていない、複数の他のコンポーネントを備え得る。本開示に最も関連するコンポーネントのみが示されている。
【００９８】
（ＰＣＲ装置の構成）
図２３Ａは、ＩＥＥＥ８０２．１１信号を送信および受信することが可能な例示的なＰＣＲ２３００の単純なブロック図である。ＰＣＲ２３００は、図１に示されたような、ＡＰ１１０内のＰＣＲ１１２、ＳＴＡ１３０内のＰＣＲ１３２、またはＳＴＡ１４０内のＰＣＲ１４２であってもよい。特に、ＡＰ１１０のＰＣＲ１１２は、ＷＵＲ信号を送信することも可能である。ＰＣＲ２３００は、送信信号生成回路２３１０、トランシーバ２３２０、および受信信号処理回路２３３０を含む。送信信号生成回路２３１０は、ＩＥＥＥ８０２．１１信号および、該当する場合ＷＵＲ信号を生成する役割を担い、トランシーバ２３２０は、生成されたＩＥＥＥ８０２．１１信号および、該当する場合ＷＵＲ信号を送信するとともに、ＩＥＥＥ８０２．１１信号を受信する役割を担い、受信信号処理回路２３３０は、受信されたＩＥＥＥ８０２．１１信号を処理する役割を担う。
【００９９】
図２３Ｂは、例示的なＰＣＲ２３００の詳細なブロック図である。ＰＣＲ２３００は、制御回路２３４０と、クロック発振器２３６０によって駆動されるＰＣＲ  ＴＳＦタイマ２３５０と、をさらに備える。制御回路２３４０は、一般的なＭＡＣプロトコル動作を制御するために使用される。送信信号生成回路２３１０は、本開示の様々な実施形態による制御回路２３４０の制御下で、ＭＡＣフレーム（例えば、ビーコンフレーム、プローブ要求／応答フレーム、アソシエーション要求／応答フレーム、ＷＵＲアクションフレーム、ＷＵＲフレーム）を生成する役割を担うメッセージ生成回路２３１２を備える。トランシーバ２３２０は、ＰＨＹ処理回路２３２２を備え、これは、生成されたＭＡＣフレームを、ＷＵＲ  ＰＰＤＵを含むＰＰＤＵに形成して、アンテナを通じて送信するとともに、アンテナを通じて受信した、ＷＵＲ  ＰＰＤＵを除くＰＰＤＵを、ＭＡＣフレームに変換する。受信信号処理回路２３３０は、メッセージ処理回路２３３２を備え、これは、制御回路２３４０の制御下で、受信されたＭＡＣフレームを処理（例えば、ＭＡＣヘッダなどの解析）し、対応するＭＡＣ情報を制御回路２３４０に渡す役割を担う。
【０１００】
本開示によれば、ＰＣＲ２３００がＡＰ１１０で使用される場合、ＰＣＲ２３００は、とりわけ、ＷＵＲ  ＳＴＡがＷＵＲモードサスペンドで動作しているときに、ＷＵＲ  ＳＴＡ（例えば、１３０および１４０）とＡＰ１１０との間でネゴシエートされたＷＵＲパラメータを格納する役割を担うＷＵＲメモリ２３７０をさらに備える。
【０１０１】
ＰＣＲ２３００は、見通しを良くするために図２３Ａおよび図２３Ｂには示されていない他の複数のコンポーネントを備えてもよい。本開示に最も関連するコンポーネントのみが示されている。
【０１０２】
本開示は、ソフトウェア、ハードウェア、またはハードウェアと協働するソフトウェアによって実現することができる。上記各実施形態の説明に使用された各機能ブロックは、その一部または全部を集積回路などのＬＳＩで実現することができ、各実施形態で記載された各処理の一部または全部を同一のＬＳＩまたはＬＳＩの組み合わせにより制御することができる。ＬＳＩは、チップとして個別に形成されてもよく、または１つのチップが、機能ブロックの一部または全部を含むように形成されてもよい。ＬＳＩは、それに結合されたデータ入力および出力を含み得る。ここでいうＬＳＩは、集積度の違いにより、ＩＣ、システムＬＳＩ、スーパーＬＳＩ、またはウルトラＬＳＩと称され得る。しかしながら、集積回路を実装する技術はＬＳＩに限るものではなく、専用回路、汎用プロセッサ、または専用プロセッサを使用して実現され得る。加えて、ＬＳＩ製造後にプログラムすることができるフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）、またはＬＳＩ内部に配置された回路セルの接続および設定を再構成することができる再構成可能なプロセッサを使用してもよい。本開示は、デジタル処理またはアナログ処理として実現することができる。半導体技術またはその他の派生技術の進歩の結果として、将来の集積回路技術がＬＳＩに置き換わった場合、将来の集積回路技術を利用して機能ブロックを統合することができる。バイオテクノロジーも適用することができる。
【０１０３】
半導体技術またはその技術から派生した技術の進歩の結果として、ＬＳＩに置き換わる回路統合技術が登場した場合、将来の集積回路技術を使用して機能ブロックを統合することができる。別の可能性は、バイオテクノロジーなどの応用である。
【０１０４】
本開示は、通信装置と称される、通信機能を有するあらゆる種類の装置、デバイス、またはシステムによって実現することができる。
【０１０５】
そのような通信装置のいくつかの非限定的な例としては、電話（例えば、セルラ（セル）電話、スマートフォン）、タブレット、パーソナルコンピュータ（ＰＣ）（例えば、ラップトップ、デスクトップ、ネットブック）、カメラ（例えば、デジタルスチル／ビデオカメラ）、デジタルプレーヤ（デジタルオーディオ／ビデオプレーヤ）、ウェアラブルデバイス（例えば、ウェアラブルカメラ、スマートウォッチ、トラッキングデバイス）、ゲームコンソール、デジタルブックリーダ、テレヘルス／テレメディシン（遠隔保健および医療）デバイス、ならびに通信機能を提供する車両（例えば、自動車、飛行機、船）、ならびにそれらの様々な組み合わせが挙げられる。
【０１０６】
通信装置は、ポータブルまたは移動可能であることに限定されず、スマートホームデバイス（例えば、電化製品、照明、スマートメータ、コントロールパネル）、自動販売機、および「モノのインターネット（ＩｏＴ）」のネットワーク内の任意の他の「モノ」のような、非ポータブルまたは固定であるあらゆる種類の装置、デバイスまたはシステムも含み得る。
【０１０７】
通信は、例えば、セルラシステム、ワイヤレスＬＡＮシステム、衛星システムなど、およびそれらの様々な組み合わせを通じたデータの交換を含み得る。
【０１０８】
通信装置は、本開示に記載された通信の機能を実行する通信デバイスに結合された、コントローラまたはセンサなどのデバイスを備え得る。例えば、通信装置は、通信装置の通信機能を実行する通信デバイスによって使用される、制御信号またはデータ信号を生成するコントローラまたはセンサを備え得る。
【０１０９】
通信装置はまた、基地局、アクセスポイントなどのインフラストラクチャ設備、および、上記の非限定的な例の装置などと通信または制御する任意の他の装置、デバイス、またはシステムを含み得る。
【０１１０】
２０１７年１２月１４日に出願された米国仮出願第６２／５９８，９４２号、および２０１８年２月２７日に出願された日本特許出願第２０１８−０３２８２１号の明細書、図面、および要約を含む開示は、その全体が参照により本明細書に組み入れられている。
【産業上の利用可能性】
【０１１１】
本開示は、ワイヤレスネットワークにおけるＷＵＲモード動作のための装置および方法に適用され得る。
【符号の説明】
【０１１２】
１１０  ＡＰ
１３０、１４０  ＳＴＡ
１１２、１３２、１４２、２３００  ＰＣＲ
１３４、１４４、２２００  ＷＵＲ
２２１０  受信機
２２１２、２３２２  ＰＨＹ処理回路
２２２０、２３３０  受信信号処理回路
２２２２、２３３２  メッセージ処理回路
２２３０、２３４０  制御回路
２２４０  ＷＵＲ  ＴＳＦタイマ
２２５０、２３６０  クロック発振器
２３１０  送信信号生成回路
２３１２  メッセージ生成回路
２３２０  トランシーバ
２３５０  ＰＣＲ  ＴＳＦタイマ
２２６０、２３７０  ＷＵＲメモリ
【図１】
2021507554.tif 000003
【図２】
2021507554.tif 000004
【図３Ａ】
2021507554.tif 000005
【図３Ｂ】
2021507554.tif 000006
【図４】
2021507554.tif 000007
【図５】
2021507554.tif 000008
【図６】
2021507554.tif 000009
【図７】
2021507554.tif 000010
【図８Ａ】
2021507554.tif 000011
【図８Ｂ】
2021507554.tif 000012
【図８Ｃ】
2021507554.tif 000013
【図８Ｄ】
2021507554.tif 000014
【図９】
2021507554.tif 000015
【図１０】
2021507554.tif 000016
【図１１】
2021507554.tif 000017
【図１２】
2021507554.tif 000018
【図１３】
2021507554.tif 000019
【図１４】
2021507554.tif 000020
【図１５Ａ】
2021507554.tif 000021
【図１５Ｂ】
2021507554.tif 000022
【図１５Ｃ】
2021507554.tif 000023
【図１６】
2021507554.tif 000024
【図１７Ａ】
2021507554.tif 000025
【図１７Ｂ】
2021507554.tif 000026
【図１８Ａ】
2021507554.tif 000027
【図１８Ｂ】
2021507554.tif 000028
【図１９】
2021507554.tif 000029
【図２０】
2021507554.tif 000030
【図２１】
2021507554.tif 000031
【図２２Ａ】
2021507554.tif 000032
【図２２Ｂ】
2021507554.tif 000033
【図２３Ａ】
2021507554.tif 000034
【図２３Ｂ】
2021507554.tif 000035
【国際調査報告】
2021507554.tif 000036